(57)【特許請求の範囲】
【請求項１】
アクスルハーフシャフトに連結される横置型デュアル動力源車両用駆動アセンブリであって、
第一の動力源と、第二の動力源と、自動変速機とを含み、前記自動変速機に第一の入力軸及び第二の入力軸が設けられ、前記第一及び第二の動力源がそれぞれ２本の入力軸に連結され、前記自動変速機と前記アクスルハーフシャフトとの連結箇所に差動装置が設けられており、
前記自動変速機において、第一の中間軸が前記第一の入力軸と同じ軸心方向に設けられ、第二の中間軸が前記第一の中間軸と同じ軸心方向に設けられ、前記第二の入力軸が前記第二の中間軸と同じ軸心方向に設けられ、第三の中間軸が前記第一の入力軸と平行に設けられ、第四の中間軸が前記第三の中間軸と同じ軸心方向に設けられており、
前記第三の中間軸と前記第四の中間軸との間に第一のクラッチが設けられ、前記第一の中間軸と前記第二の中間軸との間に第二のクラッチが設けられており、
前記第一の中間軸に第一のギアが直結して設けられ、前記第三の中間軸に第二のギアが直結して設けられ、前記第一のギアが前記第二のギアと噛合伝動し、前記第二の中間軸に第三のギアが直結して設けられ、前記第四の中間軸に第四のギアが直結して設けられ、前記第三のギアが前記第四のギアと噛合伝動し、前記差動装置に第五のギアが設けられ、前記第三のギアが前記第四のギアと噛合伝動すると同時に、前記第四のギアが前記第五のギアと噛合伝動する、
ことを特徴とする横置型デュアル動力源車両用駆動アセンブリ。
【請求項２】
前記第一のギアと前記第二のギアとの噛合伝動比をｉ１とし、前記第三のギアと前記第四のギアとの噛合伝動比をｉ２とし、前記第四のギアと前記第五のギアとの噛合伝動比をｉ３とすると、
前記第一のクラッチが噛み合い、前記第二のクラッチが切断されている場合、前記第一の動力源が、前記第一の入力軸、前記第一の中間軸、前記第一のギア、前記第二のギア、前記第三の中間軸、前記第一のクラッチ、前記第四の中間軸、前記第四のギア、前記第五のギア及び前記差動装置を順次に介して、動力を前記アクスルハーフシャフトに伝達し、前記自動変速機における噛合伝動比がｉ１×ｉ３となる、
ことを特徴とする請求項１に記載の横置型デュアル動力源車両用駆動アセンブリ。
【請求項３】
前記第二のクラッチが噛み合い、前記第一のクラッチが切断されている場合、前記第一の動力源が、前記第一の入力軸、前記第一の中間軸、前記第二のクラッチ、前記第二の中間軸、前記第三のギア、前記第四のギア、前記第五のギア及び前記差動装置を順次に介して、動力を前記アクスルハーフシャフトに伝達し、前記自動変速機において、前記第三のギアと、前記第四のギアと、前記第五のギアとによって噛合伝動し、その伝動比がｉ４となることを特徴とする請求項２に記載の横置型デュアル動力源車両用駆動アセンブリ。
【請求項４】
前記第一のクラッチ及び前記第二のクラッチが切断されている場合、前記第二の動力源が、前記第二の入力軸、前記第二の中間軸、前記第三のギア、前記第四のギア、前記第五のギア及び前記差動装置を順次に介して、動力を前記アクスルハーフシャフトに伝達し、前記自動変速機において、前記第三のギアと、前記第四のギアと、前記第五のギアとによって噛合伝動し、その伝動比がｉ４となることを特徴とする請求項２に記載の横置型デュアル動力源車両用駆動アセンブリ。
【請求項５】
アクスルハーフシャフトに連結される横置型デュアル動力源車両用駆動アセンブリであって、
第一の動力源と、第二の動力源と、自動変速機とを含み、前記自動変速機に第一の入力軸及び第二の入力軸が設けられ、前記第一及び第二の動力源がそれぞれ２本の入力軸に連結され、前記自動変速機と前記アクスルハーフシャフトとの連結箇所に差動装置が設けられており、
前記自動変速機において、第一の中間軸が第一の入力軸と同軸心方向に設けられ、第二の中間軸が第一の中間軸と同軸心方向に設けられ、第二の入力軸が第二の中間軸と同軸心方向に設けられ、第三の中間軸が第一の入力軸と平行に設けられ、第四の中間軸が第三の中間軸と同軸心方向に設けられており、
前記第三の中間軸と前記第四の中間軸との間に第一のクラッチが設けられ、前記第一の中間軸と前記第二の中間軸との間に第二のクラッチが設けられており、
前記第一の中間軸に第一のギアが直結して設けられ、前記第三の中間軸に第二のギアが直結して設けられ、前記第一のギアが前記第二のギアと噛合伝動し、前記第二の中間軸に第三のギアが直結して設けられ、前記第四の中間軸に第四のギアが直結して設けられ、前記差動装置に第五のギアが設けられており、
前記第四の中間軸に第六のギアが更に直結して設けられ、前記第六のギアが前記第二の中間軸における前記第三のギアと噛合伝動し、前記第四のギアが前記第五のギアのみと噛合伝動することを特徴とする横置型デュアル動力源車両用駆動アセンブリ。
【請求項６】
前記第一のギアと前記第二のギアとの噛合伝動比をｉ１とし、前記第三のギアと前記第四のギアとの噛合伝動比をｉ２とし、前記第四のギアと前記第五のギアとの噛合伝動比をｉ３とし、前記第三のギアと前記第六のギアとの噛合伝動比をｉ５とすると、
前記第一のクラッチが噛み合い、前記第二のクラッチが切断されている場合、前記自動変速機における噛合伝動比がｉ１×ｉ３となり、
前記第一のクラッチが切断され、前記第二のクラッチが噛み合っている場合、前記第一の動力源が、前記自動変速機を介して、ｉ５×ｉ３の噛合伝動比で動力を出力し、
前記第一のクラッチ及び前記第二のクラッチが共に切断されている場合、前記第二の動力源が、前記自動変速機を介して、ｉ５×ｉ３の噛合伝動比で動力を出力する、
ことを特徴とする請求項５に記載の横置型デュアル動力源車両用駆動アセンブリ。
【請求項７】
前記第一の動力源が、電動モータであり、又は、エンジンとＩＳＧモータとの組み合せであり、前記エンジンと前記ＩＳＧモータとの間にねじり振動ダンパーが設けられており、前記第二の動力源が電動モータであることを特徴とする請求項１又は５に記載の横置型デュアル動力源車両用駆動アセンブリ。
【請求項８】
前記第二の入力軸と前記第二の中間軸とが一体化設計になっており、又は前記第二の入力軸と前記第二の中間軸との間に第三のクラッチが設けられていることを特徴とする請求項１又は５に記載の横置型デュアル動力源車両用駆動アセンブリ。
【請求項９】
前記第一の入力軸と前記第一の中間軸とが一体化設計になっており、又は前記第一の入力軸と前記第一の中間軸との間に第四のクラッチが設けられていることを特徴とする請求項８に記載の横置型デュアル動力源車両用駆動アセンブリ。
【請求項１０】
前記アクスルハーフシャフトがフロントアクスルハーフシャフト又はリアアクスルハーフシャフトであり、前記第一のクラッチ、前記第二のクラッチ、前記第三のクラッチ及び前記第四のクラッチが端面歯クラッチであることを特徴とする請求項９に記載の横置型デュアル動力源車両用駆動アセンブリ。
【発明の詳細な説明】
【技術分野】
【０００１】
本発明は、車両のフロントアクスル又はリアアクスルに連結され、車両を駆動するための横置型デュアル動力源車両用駆動アセンブリに関する。
【背景技術】
【０００２】
現在の純粋な電気自動車又はハイブリッド新エネルギー自動車は、それに用いられる電動モータの動力特性と車両全体の要求とに差があるため、変速比及びモーメントの要求を満たすことができない。新エネルギー自動車が益々複雑になる運転状況や道路状況に対応する必要があるため、新エネルギー自動車の快適さ及び航続距離に対するユーザの要求がますます高くなり、単純な電動モータ直接駆動モード、電動モータに減速機を接続したモード、又は、燃料−電気ハイブリッドモードの新エネルギー自動車は、新エネルギー自動車産業の発展要求を満たすことができなくなる。
【０００３】
現在の車両の動力アセンブリにおいて、動力源、クラッチ、ギアボックス又は減速機、及び駆動軸は、通常縦方向に配置され、長さが比較的に大きくて、車両における占有空間も大きく、コンパクトな構造を必要とするコンパクト車両には適していない。
なお、現在、純粋な電気自動車又はハイブリッド新エネルギー自動車の減速機は、電動モータのロータ軸への衝撃が大きい（ロータ軸と入力軸とが一体的ではない）ため、従来の摩擦クラッチを使用することができなくなり、それに用いられたクラッチがハード接続という方式しか採用できず、緩衝機能を有しないので、新エネルギー自動車の要求を満たすことができない。
【０００４】
従来の電動モータ直接駆動モードの自動車において、動力系にはクラッチ機能がないので、従来の慣性摩擦シンクロナイザを使用することができず、変速機がシフトできず、単一の変速比しか使用できなく、車両全体の発進及び停止が電動モータの発停にしか依存できず、電動モータの性能の発揮に影響を与えてしまう。
【発明の概要】
【発明が解決しようとする課題】
【０００５】
先行技術における上記問題について、本発明は、従来の動力アセンブリが単一の変速比で伝動し、複雑な道路状況や運転状況に適応できないという問題を解決するための横置型デュアル動力源車両用駆動アセンブリを提供している。
【０００６】
同時に、従来の動力アセンブリの縦寸法が大きくてコンパクト車に使用できないこと、及び変速機のギア数が多くて伝動構造が複雑であるという問題が解決される。
【課題を解決するための手段】
【０００７】
上記目的を達成するために、本発明は、以下のようにして実現される。
第１の発明は、アクスルハーフシャフトに連結される横置型デュアル動力源車両用駆動アセンブリを提供しており、前記横置型デュアル動力源車両用駆動アセンブリは、第一の動力源と、第二の動力源と、自動変速機とを含み、前記自動変速機に第一の入力軸及び第二の入力軸が設けられ、前記動力源がそれぞれ２本の入力軸に連結され、前記自動変速機と前記アクスルハーフシャフトとの連結箇所に差動装置が設けられており、前記自動変速機において、第一の中間軸が第一の入力軸と同じ軸心方向に設けられ、第二の中間軸が第一の中間軸と同じ軸心方向に設けられ、第二の入力軸が第二の中間軸と同じ軸心方向に設けられ、第三の中間軸が第一の入力軸と平行に設けられ、第四の中間軸が第三の中間軸と同じ軸心方向に設けられており、前記第三の中間軸と前記第四の中間軸との間に第一のクラッチが設けられ、前記第一の中間軸と前記第二の中間軸との間に第二のクラッチが設けられており、前記第一の中間軸に第一のギアが直結して設けられ、前記第三の中間軸に第二のギアが直結して設けられ、第一のギアが第二のギアと噛合伝動し、前記第二の中間軸に第三のギアが直結して設けられ、前記第四の中間軸に第四のギアが直結して設けられ、第三のギアが第四のギアと噛合伝動し、前記差動装置に第五のギアが設けられ、前記第三のギアが前記第四のギアと噛合伝動すると同時に、前記第四のギアが前記第五のギアと噛合伝動する。
【０００８】
また、前記第一のギアと前記第二のギアとの噛合伝動比をｉ１とし、前記第三のギアと前記第四のギアとの噛合伝動比をｉ２とし、前記第四のギアと前記第五のギアとの噛合伝動比をｉ３とすると、前記第一のクラッチが噛み合い、前記第二のクラッチが切断されている場合、前記第一の動力源が、前記第一の入力軸、前記第一の中間軸、前記第一のギア、前記第二のギア、前記第三の中間軸、前記第一のクラッチ、前記第四の中間軸、前記第四のギア、前記第五のギア及び前記差動装置を順次に介して、動力を前記アクスルハーフシャフトに伝達し、前記自動変速機において、前記第三のギアと、前記第四のギアと、前記第五のギアとによって噛合伝動し、その伝動比がｉ４となるようにしてもよい。
【０００９】
また、前記第二のクラッチが噛み合い、前記第一のクラッチが切断されている場合、前記第一の動力源が、前記第一の入力軸、前記第一の中間軸、前記第二のクラッチ、前記第二の中間軸、前記第三のギア、前記第四のギア、前記第五のギア及び前記差動装置を順次に介して、動力を前記アクスルハーフシャフトに伝達し、前記自動変速機において、前記第三のギアと、前記第四のギアと、前記第五のギアとによって噛合伝動し、その伝動比がｉ４となるようにしてもよい。
【００１０】
また、前記第一のクラッチ及び前記第二のクラッチが切断されている場合、前記第二の動力源が、前記第二の入力軸、前記第二の中間軸、前記第三のギア、前記第四のギア、前記第五のギア及び前記差動装置を順次に介して、動力を前記アクスルハーフシャフトに伝達し、前記自動変速機における噛合伝動比がｉ１×ｉ３となるようにしてもよい。
【００１１】
また、第２の発明は、アクスルハーフシャフトに連結される横置型デュアル動力源車両用駆動アセンブリであって、第一の動力源と、第二の動力源と、自動変速機とを含み、前記自動変速機に第一の入力軸及び第二の入力軸が設けられ、前記第一及び第二の動力源がそれぞれ２本の入力軸に連結され、前記自動変速機と前記アクスルハーフシャフトとの連結箇所に差動装置が設けられており、前記自動変速機において、第一の中間軸が第一の入力軸と同軸心方向に設けられ、第二の中間軸が第一の中間軸と同軸心方向に設けられ、第二の入力軸が第二の中間軸と同軸心方向に設けられ、第三の中間軸が第一の入力軸と平行に設けられ、第四の中間軸が第三の中間軸と同軸心方向に設けられており、前記第三の中間軸と前記第四の中間軸との間に第一のクラッチが設けられ、前記第一の中間軸と前記第二の中間軸との間に第二のクラッチが設けられており、前記第一の中間軸に第一のギアが直結して設けられ、前記第三の中間軸に第二のギアが直結して設けられ、前記第一のギアが前記第二のギアと噛合伝動し、前記第二の中間軸に第三のギアが直結して設けられ、前記第四の中間軸に第四のギアが直結して設けられ、前記差動装置に第五のギアが設けられており、前記第四の中間軸に第六のギアが更に直結して設けられ、前記第六のギアが前記第二の中間軸における前記第三のギアと噛合伝動し、前記第四のギアが前記第五のギアのみと噛合伝動する。
【００１２】
また、前記第一のギアと前記第二のギアとの噛合伝動比をｉ１とし、前記第三のギアと前記第四のギアとの噛合伝動比をｉ２とし、前記第四のギアと前記第五のギアとの噛合伝動比をｉ３とし、前記第三のギアと前記第六のギアとの噛合伝動比をｉ５とすると、
前記第一のクラッチが噛み合い、前記第二のクラッチが切断されている場合、前記自動変速機における噛合伝動比がｉ１×ｉ３となり、前記第一のクラッチが切断され、前記第二のクラッチが噛み合っている場合、前記第一の動力源が、前記自動変速機を介して、ｉ５×ｉ３の噛合伝動比で動力を出力し、前記第一のクラッチ及び前記第二のクラッチが共に切断されている場合、前記第二の動力源が、前記自動変速機を介して、ｉ５×ｉ３の噛合伝動比で動力を出力するようにしてもよい。
【００１３】
また、前記第一の動力源が、電動モータであり、又はエンジンとＩＳＧモータとの組み合せであり、前記エンジンと前記ＩＳＧモータとの間にねじり振動ダンパーが設けられており、前記第二の動力源が電動モータであるようにしてもよい。
【００１４】
また、前記第二の入力軸と前記第二の中間軸とが一体化設計になっており、又は、前記第二の入力軸と前記第二の中間軸との間に第三のクラッチが設けられているようにしてもよい。
【００１５】
また、前記第一の入力軸と前記第一の中間軸とが一体化設計になっており、
又は、前記第一の入力軸と前記第一の中間軸との間に第四のクラッチが設けられているようにしてもよい。
【００１６】
また、前記アクスルハーフシャフトがフロントアクスルハーフシャフト又はリアアクスルハーフシャフトであり、前記第一のクラッチ、前記第二のクラッチ、前記第三のクラッチ及び前記第四のクラッチが端面歯クラッチであってもよい。
【発明の効果】
【００１７】
上記構造を用いて配置された本発明の利点は、以下の通りである。
本発明による車デュアル動力アセンブリは、車両のリアアクスルハーフシャフト又はフロントアクスルハーフシャフトに連結され、前記車デュアル動力アセンブリは、デュアル動力源による入力、３つの変速比での伝動を実現することができ、伝動方式及び動力入力方式が柔軟であり、さまざまな道路状況での車両全体の運転ニーズが満たされ、車両が重い負荷で坂を登っている場合、車両全体の駆動力を向上させ、車両全体の駆動力不足という欠陥を補うためには、デュアル動力入力、大きい変速比での伝動を選択することができ、車両全体が巡航している場合、車両全体の高速運転要求を満たし、エネルギーを節約し、車両の航続距離を向上させるためには、単一動力入力、小さい変速比での伝動を選択することができる。なお、車両の発進時に、第一の動力源と第二の動力源が共にオンされると、駆動アセンブリの総駆動力を増大させ、車両の加速過程を短縮し、高速走行をより早く実現することができる。
【００１８】
ねじり振動ダンパーと端面歯クラッチとを組み合わせる設計モードでは、運動エネルギー損失を最小にすることが可能であり、従来の摩擦クラッチが電動モータのパワーショックに耐えることができないため、寿命が短すぎるという欠陥を埋めることができる。
【００１９】
本発明による横置型デュアル動力源車両用駆動アセンブリは、駆動アセンブリの縦寸法を短くして、コンパクト車に適している一方で、使用されるギアの数が少ないため、伝動構造を簡素化することができる。
【図面の簡単な説明】
【００２０】
【図１】本発明による横置型デュアル動力源車両用駆動アセンブリの実施例１を示す構造模式図である。
【図２】本発明による横置型デュアル動力源車両用駆動アセンブリの実施例２を示す構造模式図である。
【図３】本発明による横置型デュアル動力源車両用駆動アセンブリの実施例３を示す構造模式図である。
【図４】本発明による横置型デュアル動力源車両用駆動アセンブリの実施例４を示す構造模式図である。
【図５】本発明による横置型デュアル動力源車両用駆動アセンブリの実施例５を示す構造模式図である。
【発明を実施するための形態】
【００２１】
本発明の目的、技術案及び利点が更に明白になるように、以下、図面を参照して、本発明の実施形態について更に詳しく説明する。
【００２２】
（実施例１）
本発明の実施例１において、アクスルハーフシャフトに連結される横置型デュアル動力源車両用駆動アセンブリが提供され、図１に示すように、該車両用駆動アセンブリは、第一の動力源と、第二の動力源と、自動変速機とを含み、自動変速機に第一の入力軸２１及び第二の入力軸２２が設けられ、動力源がそれぞれ２本の入力軸に連結され、第一の動力源が第一の入力軸２１に連結され、第二の動力源が第二の入力軸２２に連結され、自動変速機１０とアクスルハーフシャフト（以下、「アクスル８０」という）との連結箇所に差動装置５０が設けられている。
【００２３】
自動変速機１０において、第一の中間軸３１が第一の入力軸２１と同じ軸心方向に設けられ、第二の中間軸３２が第一の中間軸３１と同じ軸心方向に設けられ、第二の入力軸２２が第二の中間軸３２と同じ軸心方向に設けられ、第三の中間軸３３が第一の入力軸２１と平行に設けられ、第四の中間軸３４が第三の中間軸３３と同じ軸心方向に設けられ、第三の中間軸３３と第四の中間軸３４との間に第一のクラッチ４１が設けられ、第一の中間軸３１と第二の中間軸３２との間に第二のクラッチ４２が設けられている。
【００２４】
第一の中間軸３１に第一のギア１１が直結して設けられ、第三の中間軸３３に第二のギア１２が直結して設けられ、第一のギア１１が第二のギア１２と噛合伝動し、第二の中間軸３２に第三のギア１３が直結して設けられ、第四の中間軸３４に第四のギア１４が直結して設けられ、第三のギア１３が第四のギア１４と噛合伝動し、差動装置５０に第五のギア１５が設けられ、第三のギア１３が第四のギア１４と噛合伝動すると同時に、第四のギア１４が第五のギア１５と噛合伝動する。
【００２５】
本発明の実施例１において、第一の入力軸２１と第一の中間軸３１とが一体化設計になっており、第二の入力軸２２と第二の中間軸３２とも一体化設計になっている。勿論、第一の入力軸２１と第一の中間軸３１とをそれぞれ独立した２本の軸として設けて、２本の軸の間にクラッチを増設してもよく、同様に、第二の入力軸２２と第二の中間軸３２とをそれぞれ独立した２本の軸として設けて、２本の軸の間にクラッチを増設してもよい。
【００２６】
この実施例１において、第一の動力源は、エンジン７１とＩＳＧモータ７２との組み合せであり、エンジン７１とＩＳＧモータ７２との間にねじり振動ダンパー７３が設けられている。エンジン７１のアイドル損失及び汚染を低減することができる一方で、ＩＳＧモータ７２が発電機として機能し、電力を回生して、エネルギーを回収し、省エネルギー効果を実現することができる。第二の動力源が電動モータ６０である。
【００２７】
上記から分かるように、本発明の実施例１による車両用駆動アセンブリの自動変速機１０は、従来の変速機の入力軸、中間軸及び出力軸のレイアウト方式とは異なり、駆動アセンブリの縦寸法を短くして、コンパクト車に適している一方で、使用されるギアの数が少ないため、伝動過程が簡素化され、効率がより高くなる。
【００２８】
上記駆動アセンブリの動力伝動方式は、具体的に、次の通りである。
第一のギア１１と第二のギア１２との噛合伝動比をｉ１とし、第三のギア１３と第四のギア１４との噛合伝動比をｉ２とし、第四のギア１４と第五のギア１５との噛合伝動比をｉ３とすると、第一のクラッチ４１が噛み合い、第二のクラッチ４２が切断されている場合、第一の動力源が、第一の入力軸２１、第一の中間軸３１、第一のギア１１、第二のギア１２、第三の中間軸３３、第一のクラッチ４１、第四の中間軸３４、第四のギア１４、第五のギア１５及び差動装置５０を順次に介して、動力をアクスル８０に伝達し、自動変速機１０における噛合伝動比がｉ１×ｉ３となる。これは、運転状況一である。
【００２９】
第二のクラッチ４２が噛み合い、第一のクラッチ４１が切断されている場合、第一の動力源が、第一の入力軸２１、第一の中間軸３１、第二のクラッチ４２、第二の中間軸３２、第三のギア１３、第四のギア１４、第五のギア１５及び差動装置５０を順次に介して、動力をアクスル８０に伝達し、自動変速機１０において、第三のギア１３と、第四のギア１４と、第五のギア１５とによって噛合伝動し、その伝動比がｉ４となり、このとき、第四のギア１４がアイドルギヤとなる。これは、運転状況二である。
【００３０】
第一のクラッチ４１及び第二のクラッチ４２が切断されている場合、第二の動力源が、第二の入力軸２２、第二の中間軸３２、第三のギア１３、第四のギア１４、第五のギア１５及び差動装置５０を順次に介して、動力をアクスル８０に伝達し、自動変速機１０において、第三のギア１３と、第四のギア１４と、第五のギア１５とによって噛合伝動し、その伝動比がｉ４となり、このとき、第四のギア１４がアイドルギヤとなる。これは、運転状況三である。
【００３１】
運転状況三にある場合、第一の動力源を補助動力源とすることができ、第一のクラッチ４１又は第二のクラッチ４２を噛み合わせると、運転状況三の場合では、より大きな駆動力を提供することが可能になる。
【００３２】
さらに、運転状況三にある場合、第一の動力源がオンされ、第一の動力源の動力がアクスル８０に伝達することができず、ＩＳＧモータ７２のみが発電機として機能し、電力を回生可能であり、電力がバッテリに蓄えられたり、第二の動力源（電動モータ６０）の稼動に使用されたりする。
【００３３】
そのうち、伝動比ｉ１、ｉ２、ｉ３の大きさが、ギアの寸法や歯数を変えることで変更することができ、これにより、自動変速機１０の伝動比が変更される。
【００３４】
上記から分かるように、本発明による駆動アセンブリの実施例１では、３つの伝動比を実現することができる。
【００３５】
第一の動力源がオンされ、第一のクラッチ４１が噛み合い、第二のクラッチ４２が切断されている場合は、自動変速機１０における噛合伝動比がｉ１×ｉ３となる。このとき、第二の動力源（電動モータ６０）がオンにされてもオフにされてもよい。第二の動力源（電動モータ６０）がオンされれば、駆動アセンブリの総駆動力を増大させることができ、車両の発進時に、車両の加速過程を短縮し、高速走行をより早く実現することができる。
【００３６】
第一の動力源がオンされ、第二のクラッチ４２が噛み合い、第一のクラッチ４１が切断されている場合は、自動変速機１０における噛合伝動比がｉ２×ｉ３となる。このとき、第二の動力源（電動モータ６０）がオンにされてもオフにされてもよい。同様に、第二の動力源がオンされれば、駆動アセンブリの総駆動力を増大させることができる。
【００３７】
第二の動力源がオンされ、第一のクラッチ４１及び第二のクラッチ４２が切断されている場合は、自動変速機１０における噛合伝動比がｉ１×ｉ３となる。このとき、第一の動力源がオンにされてもオフにされてもよい。第一の動力源がオンされれば、第一の動力源の動力がアクスル８０に伝達することができず、ＩＳＧモータ７２のみが発電機として機能し、電力を回生可能であり、電力がバッテリに蓄えられたり、第二の動力源の稼動に使用されたりする。
【００３８】
上記から分かるように、該車両用駆動アセンブリは、デュアル動力源による入力、３つの変速比での伝動を実現することができ、伝動形式が柔軟であり、さまざまな道路状況での車両全体の運転ニーズが満たされる。また、車両が重い負荷で坂を登っている場合には、車両全体の駆動力を向上させ、車両全体の駆動力不足という欠陥を補うために、デュアル動力入力、大きい変速比での伝動を選択することができる。車両全体が巡航している場合、車両全体の高速運転要求を満たし、エネルギーを節約することができる。さらに、車両の航続距離を向上させるためには、単一動力入力、小さい変速比での伝動を選択することができる。なお、車両の発進時に、第一の動力源と第二の動力源が共にオンされると、駆動アセンブリの総駆動力を増大させ、車両の加速過程を短縮し、高速走行をより早く実現することができる。
【００３９】
本発明の実施例１において、アクスル８０がフロントアクスルハーフシャフト又はリアアクスルハーフシャフトであり、車両用駆動アセンブリがフロントアクスルハーフシャフトに連結された場合、車両が前輪駆動モードとなり、車両用駆動アセンブリがリアアクスルハーフシャフトに連結された場合、車両が後輪駆動モードとなる。
【００４０】
第一のクラッチ４１及び第二のクラッチ４２が端面歯クラッチであり、噛合伝動する可動ギアプレートと固定ギアプレートとを含み、可動ギアプレートに端面伝動歯又は端面歯溝が設けられ、それに応じて、固定ギアプレートに端面歯溝又は端面伝動歯が設けられている。端面歯クラッチは、摩擦クラッチと比較して、運動エネルギー損失を最大限に低減することが可能であり、従来の摩擦クラッチが電動モータのパワーショックに耐えることができないため、寿命が短すぎるという欠陥を埋めることができる。
【００４１】
端面歯クラッチの駆動方式は、電磁駆動式（電磁吸引による駆動）、流体駆動式（液圧機構による駆動）、空圧駆動式（空圧機構による駆動）、電気駆動式（電動モータによる駆動）のいずれであってもよく、可動ギアプレートが軸方向に移動して固定ギアプレートと噛み合うように駆動される。
【００４２】
第一のクラッチ４１及び第二のクラッチ４２が電磁ドッグクラッチである場合、車両用駆動アセンブリが動力入力状態にあるとき、電磁ドッグクラッチによって、動力が随時、車両全体と瞬時に解除されたり結合されたりすることができ、動力の円滑な切換えが達成され、車両の走行安定性が向上する。
【００４３】
（実施例２）
本発明の実施例２は、実施例１に基づいて改良されたものである。本発明の実施例２は、実施例１と比べると、図２に示すように、第四の中間軸３４にさらに第六のギア１６が直結して設けられ、第六のギア１６が第二の中間軸３２における第三のギア１３と噛合伝動し、第四のギア１４が第五のギア１５のみと噛合伝動する点で異なっている。
【００４４】
第三のギア１３と第六のギア１６との噛合伝動比をｉ５とすると、第一のクラッチ４１が噛み合い、第二のクラッチ４２が切断されている場合、自動変速機１０における噛合伝動比がｉ１×ｉ３となり、第一の動力源が、第一の入力軸２１、第一の中間軸３１、第一のギア１１、第二のギア１２、第三の中間軸３３、第一のクラッチ４１、第四の中間軸３４、第四のギア１４、第五のギア１５及び差動装置５０を順次に介して、アクスル８０に動力を伝達する。
【００４５】
第一のクラッチ４１が切断され、第二のクラッチ４２が噛み合っている場合、第一の動力源が、自動変速機１０を介して、ｉ５×ｉ３の噛合伝動比で動力を出力し、第一の動力源が、第一の入力軸２１、第一の中間軸３１、第二のクラッチ４２、第二の中間軸３２、第三のギア１３、第六のギア１６、第四の中間軸３４、第四のギア１４、第五のギア１５及び差動装置５０を順次に介して、動力をアクスル８０に伝達する。
【００４６】
第一のクラッチ４１及び第二のクラッチ４２が共に切断されている場合は、第二の動力源が、自動変速機１０を介して、ｉ５×ｉ３の噛合伝動比で動力を出力する。第二の動力源が、第二の入力軸２２、第二の中間軸３２、第三のギア１３、第六のギア１６、第四の中間軸３４、第四のギア１４、第五のギア１５及び差動装置５０を順次に介して、アクスル８０に動力を伝達する。
【００４７】
この実施例２によれば、異なる伝動比を設定するのがより柔軟であり、制約がより小さくなり、大きな伝動比を選択するとギアが小径になるので、自動変速機１０の径方向寸法を効果的に縮小することができる。
【００４８】
本発明の実施例２の他の内容は、実施例１と同じであり、ここで繰り返して説明しない。
【００４９】
（実施例３）
本発明の実施例３は、実施例２に基づいて変更をなされたものである。実施例３は、実施例２と比べると、図３に示すように、第二の入力軸２２と第二の中間軸３２とがそれぞれ独立した２本の軸であり、第二の入力軸２２と第二の中間軸３２との間に第三のクラッチ４３が設けられている点で異なっている。
【００５０】
第二の動力源である電動モータ６０が補助動力源とされる場合、電動モータ６０をオンにしようとすると、第三のクラッチ４３を結合させる必要がある。一方、第二の動力源である電動モータ６０がオフにされると、第三のクラッチ４３を切断してもよく、このとき、電動モータ６０が車両全体の動作に伴って空転することはなく、車両全体の走行が電動モータ６０の最高回転速度及びロータの回転慣性によって制約されることはない。
【００５１】
本発明の実施例３の他の内容は、実施例２と同じであり、ここで繰り返して説明しない。
【００５２】
（実施例４）
本発明の実施例４は、実施例３に基づいて改良されたものである。実施例４は、実施例３と比べると、図４に示すように、第一の入力軸２１と第一の中間軸３１とがそれぞれ独立した２本の軸であり、エンジン７１が第一の入力軸２１に設けられ、ＩＳＧモータ７２が第一の中間軸３１に設けられ、第一の入力軸２１と第一の中間軸３１との間に第四のクラッチ４４が設けられている点で異なっている。
【００５３】
第一の動力源であるエンジン７１が補助動力源とされる場合、エンジン７１をオンにしようとすると、第四のクラッチ４４を結合させる必要がある。一方、エンジン７１がオフにされると、第四のクラッチ４４を切断してもよい。エンジン７１がオフされた場合、電動モータとしてのＩＳＧモータ７２が依然として補助動力源として第一の中間軸３１を駆動することができ、このとき、ＩＳＧモータ７２がエンジン７１の動作特性によって制約されず、ＩＳＧモータの性能が十分に発揮される。
【００５４】
本発明の実施例４の他の内容は、実施例３と同じであり、ここで繰り返して説明しない。
【００５５】
（実施例５）
本発明の実施例５は、実施例２に基づいて改良されたものである。本発明の実施例５は、実施例２と比べると、図５に示すように、本発明の実施例５において、第一の動力源として、電動モータ６０が用いられている点で異なっている。
【００５６】
本発明の実施例５の他の内容は、実施例２と同じであり、ここで繰り返して説明しない。
【００５７】
以上は、あくまでも本発明の具体的な実施形態であり、本発明の上記教示の下で、当業者は、上記実施例に基づいて他の改良又は変形を行うことができる。当業者であれば、上記の詳しい記載は本発明の目的をより良く解釈するためのものであり、本発明の保護範囲が特許請求の範囲の保護範囲に基づくものであることが理解されるべきである。
【符号の説明】
【００５８】
１０…自動変速機、１１…第一のギア、１２…第二のギア、１３…第三のギア、１４…第四のギア、１５…第五のギア、１６…第六のギア、２１…第一の入力軸、２２…第二の入力軸、３１…第一の中間軸、３２…第二の中間軸、３３…第三の中間軸、３４…第四の中間軸、４１…第一のクラッチ、４２…第二のクラッチ、４３…第三のクラッチ、４４…第四のクラッチ、５０…差動装置、６０…電動モータ（第二の動力源）、７１…エンジン（第一の動力源）、７２…ＩＳＧモータ（第一の動力源）、７３…ねじり振動ダンパー、８０…アクスル（アクスルハーフシャフト）
【図１】
0006869356.tif 000002
【図２】
0006869356.tif 000003
【図３】
0006869356.tif 000004
【図４】
0006869356.tif 000005
【図５】
0006869356.tif 000006